(57)【要約】【課題】空調設備を備えた被空調空間に在室する人の在室人数をより簡易な構成で容易に計測することが可能な在室人数算出システムとその方法を提供する。【解決手段】在室人数算出システム１は、被空調空間の給気側の空気流量を入力する供給空気流量入力手段９ａと、給気側の空気のＣＯ２濃度を入力する給気側ＣＯ２濃度入力手段９ｂと、排気側の空気流量を入力する排出空気流量入力手段９ｃと、排気側の空気のＣＯ２濃度を入力する排気側ＣＯ２濃度入力手段９ｄと、給気側の空気のＣＯ２量を計算する給気側ＣＯ２量計算手段９ｅと、排気側の空気のＣＯ２量を計算する排気側ＣＯ２量計算手段９ｆと、被空調空間で発生したＣＯ２の量を計算する室内ＣＯ２発生量計算手段９ｇと、被空調空間の在室人数を計算する在室人数計算手段９ｉと、を具備している。【選択図】  図２
2004278868.tif 000002
【特許請求の範囲】
【請求項１】
空調設備を備えた被空調空間に供給される空気の流量を入力する供給空気流量入力手段と、
前記被空調空間に供給される空気に含まれる二酸化炭素（ＣＯ２）の濃度を入力する給気側ＣＯ２濃度入力手段と、
前記被空調空間から排気される空気の流量を入力する排出空気流量入力手段と、
前記被空調空間から排気される空気に含まれるＣＯ２の濃度を入力する排気側ＣＯ２濃度入力手段と、
前記供給空気流量入力手段から受けた給気側の空気の流量と前記給気側ＣＯ２濃度入力手段から受けた給気側のＣＯ２の濃度に基づいて前記被空調空間に供給される空気に含まれるＣＯ２の量を計算する給気側ＣＯ２量計算手段と、
前記排出空気流量入力手段から受けた排気側の空気の流量と前記排気側ＣＯ２濃度入力手段から受けた排気側のＣＯ２の濃度に基づいて前記被空調空間から排気される空気に含まれるＣＯ２の量を計算する排気側ＣＯ２量計算手段と、
前記給気側ＣＯ２量計算手段から受けた給気側のＣＯ２の量と前記排気側ＣＯ２量計算手段から受けた排気側のＣＯ２の量とに基づいて前記被空調空間で発生したＣＯ２の量を計算する室内ＣＯ２発生量計算手段と、
前記室内ＣＯ２発生量計算手段から受けたＣＯ２の量と人が排出するＣＯ２の量とに基づいて前記被空調空間に在室する在室者の在室人数を計算する在室人数計算手段と、
を具備していることを特徴とする在室人数算出システム。
【請求項２】
被空調空間に空気を供給する空調設備と、
前記被空調空間の外部から内部に空気を給気するための給気側の流路上に配設した給気側ＣＯ２濃度計と、
前記被空調空間に供給される空気の流量を入力する供給空気流量入力手段と、
前記給気側ＣＯ２濃度計から給気側の空気に含まれる二酸化炭素（ＣＯ２）の濃度を入力する給気側ＣＯ２濃度入力手段と、
前記被空調空間の内部から外部に空気を排気するための排気側の流路上に配設した排気側ＣＯ２濃度計と、
前記被空調空間から排気される空気の流量を入力する排出空気流量入力手段と、
前記排気側ＣＯ２濃度計から排気側の空気に含まれるＣＯ２の濃度を入力する排気側ＣＯ２濃度入力手段と、
前記供給空気流量入力手段から受けた給気側の空気の流量と前記給気側ＣＯ２濃度入力手段から受けた給気側のＣＯ２の濃度に基づいて前記被空調空間に供給される空気に含まれるＣＯ２の量を計算する給気側ＣＯ２量計算手段と、
前記排出空気流量入力手段から受けた排気側の空気の流量と前記排気側ＣＯ２濃度入力手段から受けた排気側のＣＯ２の濃度に基づいて前記被空調空間から排気される空気に含まれるＣＯ２の量を計算する排気側ＣＯ２量計算手段と、
前記給気側ＣＯ２量計算手段から受けた給気側のＣＯ２の量と前記排気側ＣＯ２量計算手段から受けた排気側のＣＯ２の量とに基づいて前記被空調空間で発生したＣＯ２の量を計算する室内ＣＯ２発生量計算手段と、
前記室内ＣＯ２発生量計算手段から受けたＣＯ２の量と人が排出するＣＯ２の量とに基づいて前記被空調空間に在室する在室者の在室人数を計算する在室人数計算手段と、
を具備していることを特徴とする在室人数算出システム。
【請求項３】
前記空調設備は、前記被空調空間に供給する空気の流量を調節する機能を備え、前記供給空気流量入力手段は前記空調設備により調節された空気の流量を入力する機能を備えていることを特徴とする請求項２記載の在室人数算出システム。
【請求項４】
前記被空調空間の外部から内部に空気を給気するための給気側の流路上に給気側の空気の流量を計測する給気側空気流量計を配設し、前記供給空気流量入力手段は前記給気側空気流量計が計測した給気側の空気の流量を入力する機能を備えていることを特徴とする請求項２記載の在室人数算出システム。
【請求項５】
前記被空調空間の外部から内部に供給される空気の流量を変更可能に設定する給気側空気流量設定手段を備え、前記供給空気流量入力手段は前記給気側空気流量設定手段により設定された空気の流量を入力する機能を備えていることを特徴とする請求項２記載の在室人数算出システム。
【請求項６】
前記被空調空間の内部から外部に空気を排気するための排気側の流路上に排気側の空気の流量を調節する流量調節機構を配設し、前記排出空気流量入力手段は前記流量調節機構により調節された空気の流量を入力する機能を備えていることを特徴とする請求項２ないし４のいずれか１項に記載の在室人数算出システム。
【請求項７】
前記被空調空間の内部から外部に空気を排気するための排気側の流路上に排気側の空気の流量を計測する排気側空気流量計を配設し、前記排出空気流量入力手段は前記排気側空気流量計が計測した排気側の空気の流量を入力する機能を備えていることを特徴とする請求項２ないし４のいずれか１項に記載の記載の在室人数算出システム。
【請求項８】
前記被空調空間の内部から外部に排出される空気の流量を変更可能に設定する排気側空気流量設定手段を備え、前記排気空気流量入力手段は前記排気側空気流量設定手段により設定された空気の流量を入力する機能を備えていることを特徴とする請求項２ないし７のいずれか１項に記載の在室人数算出システム。
【請求項９】
前記室内ＣＯ２発生量計算手段が計算したＣＯ２の発生量を受けて、ＣＯ２の発生量人の呼吸以外の要因により発生するＣＯ２の量を減算することにより、前記被空調空間に在室する在室者の呼吸により室内に発生したＣＯ２の量を計算して在室人数計算手段に与える室内ＣＯ２量補正手段を備え、前記在室人数計算手段は前記室内ＣＯ２量補正手段から受けたＣＯ２の量と人が排出するＣＯ２の量に基づいて前記被空調空間に在室する在室者の在室人数を計算する機能を備えていることを特徴とする請求項１ないし８のいずれか１項に記載の在室人数算出システム。
【請求項１０】
空調設備を備えた被空調空間に供給される空気の流量を入力するステップと、
前記被空調空間に供給される空気に含まれる二酸化炭素（ＣＯ２）の濃度を入力するステップと、
前記被空調空間から排気される空気の流量を入力するステップと、
前記被空調空間から排気される空気に含まれるＣＯ２の濃度を入力するステップと、
給気側の空気の流量と給気側のＣＯ２の濃度に基づいて前記被空調空間に供給される空気に含まれるＣＯ２の量を計算するステップと、
排気側の空気の流量と排気側のＣＯ２の濃度に基づいて前記被空調空間から排気される空気に含まれるＣＯ２の量を計算するステップと、
給気側のＣＯ２の量と排気側のＣＯ２の量とに基づいて前記被空調空間で発生したＣＯ２の量を計算するステップと、
前記被空調空間で発生したＣＯ２の量と人が排出するＣＯ２の量とに基づいて前記被空調空間に在室する在室者の在室人数を計算するステップと、
を具備していることを特徴とする在室人数算出方法。
【請求項１１】
前記被空調空間で発生したＣＯ２の量から人の呼吸以外の要因により発生するＣＯ２の量を減算することにより、前記被空調空間に在室する在室者の呼吸により室内に発生したＣＯ２の量を計算するステップと、在室者の呼吸により室内に発生したＣＯ２の量と人が排出するＣＯ２の量とに基づいて前記被空調空間に在室する在室者の在室人数を計算するステップとを備えていることを特徴とする請求項１０記載の在室人数算出方法。
【発明の詳細な説明】
【０００１】
【発明の属する技術分野】
本発明は、空調設備により空気の循環が形成されている部屋等の被空調空間に在室する在室者の人数を二酸化炭素排出量に基づいて計算する在室人数算出システムとその方法に関する。
【０００２】
【従来の技術】
従来、部屋等の閉空間の室内における環境を把握する装置として室内環境測定装置がある（例えば特許文献１参照）。
【０００３】
この室内環境測定装置は、温度センサ、湿度センサ、輻射センサ、風速センサ、活動量センサおよび炭酸ガスセンサを備え、室内の設置場所近傍における気温、湿度、輻射、気流、活動量および炭酸ガス濃度等の環境量を測定する装置である。
【０００４】
また、建物の運用時におけるエネルギ消費量等の環境量を算出するシステムとして建物運用時性能評価システムがある（例えば特許文献２参照）。
【０００５】
建物運用時性能評価システムは、各種環境量の入力装置と計算部を備え、建物の構造、稼働スケジュール、照明器具の数や在室人数等のデータを入力して建物運用時の空調設備、衛生設備あるいは電気設備のエネルギ消費量、光熱費、電気、ガス、水の使用量や年間の二酸化炭素排出量を計算して建物の性能評価をするシステムである。
【０００６】
また、室内の二酸化炭素量を計測することにより空調システムの風量を制御する風量制御装置がある（例えば特許文献３参照）。
【０００７】
風量制御装置は、空調機と室内とを接続するダクトにＣＯ２センサを設け、ダクトを通過するＣＯ２濃度に応じて空調機の風量を制御するシステムである。
【０００８】
【特許文献１】
特開平６−１４７６００号公報（第４頁−第５頁、図３参照）
【０００９】
【特許文献２】
特開２００１−３４９５９８号公報（第２頁−第４頁、図１参照）
【００１０】
【特許文献３】
特開平７−１９５７４号公報（第２頁−第４頁、図１参照）
【００１１】
【発明が解決しようとする課題】
しかしながら、このような従来の室内環境測定装置、建物運用時性能評価システムおよび風量制御装置においては、室内に在室する在室者の人数を算出することができない。
【００１２】
すなわち、従来の室内環境測定装置、建物運用時性能評価システムおよび風量制御装置は、室内全体の環境量を計測し、計測した環境量を所要の目的に使用するものであるため、具体的な室内に在室する在室者の人数を算出することができないばかりでなく、逆に在室人数を入力情報として用いることが必要な場合がある。
【００１３】
このため、従来は室内の在室人数を計測するために、例えば赤外線センサを部屋の入口に設け、赤外線センサ部を通過する人数をカウントすることにより部屋の在室人数を測定している。
【００１４】
したがって、空調設備を備えた部屋において、空調設備を制御する必要があるような場合には、空調設備とは別途赤外線センサ等のセンサを最適な所要の位置に配設する必要があり、また入口が多数ある場合にはセンサの取り付け位置が増加するのみならず、センサの設置に適していない構造の部屋の場合には部屋の在室人数を適切かつ容易に測定することができない。
【００１５】
本発明はこのような事情を考慮してなされたものであり、その目的は、空調設備を備えた部屋等の被空調空間に在室する人の在室人数をより簡易な構成で容易に計測することが可能な在室人数算出システムとその方法を提供することにある。
【００１６】
【課題を解決するための手段】
本発明は、上述の目的を達成するために、次のように構成される。
【００１７】
すなわち請求項１に係る発明は、空調設備を備えた被空調空間に供給される空気の流量を入力する供給空気流量入力手段と、前記被空調空間に供給される空気に含まれる二酸化炭素（ＣＯ２）の濃度を入力する給気側ＣＯ２濃度入力手段と、前記被空調空間から排気される空気の流量を入力する排出空気流量入力手段と、前記被空調空間から排気される空気に含まれるＣＯ２の濃度を入力する排気側ＣＯ２濃度入力手段と、前記供給空気流量入力手段から受けた給気側の空気の流量と前記給気側ＣＯ２濃度入力手段から受けた給気側のＣＯ２の濃度に基づいて前記被空調空間に供給される空気に含まれるＣＯ２の量を計算する給気側ＣＯ２量計算手段と、前記排出空気流量入力手段から受けた排気側の空気の流量と前記排気側ＣＯ２濃度入力手段から受けた排気側のＣＯ２の濃度に基づいて前記被空調空間から排気される空気に含まれるＣＯ２の量を計算する排気側ＣＯ２量計算手段と、前記給気側ＣＯ２量計算手段から受けた給気側のＣＯ２の量と前記排気側ＣＯ２量計算手段から受けた排気側のＣＯ２の量とに基づいて前記被空調空間で発生したＣＯ２の量を計算する室内ＣＯ２発生量計算手段と、前記室内ＣＯ２発生量計算手段から受けたＣＯ２の量と人が排出するＣＯ２の量とに基づいて前記被空調空間に在室する在室者の在室人数を計算する在室人数計算手段と、を具備していることを特徴とする在室人数算出システムである。
【００１８】
請求項２に係る発明は、被空調空間に空気を供給する空調設備と、前記被空調空間の外部から内部に空気を給気するための給気側の流路上に配設した給気側ＣＯ２濃度計と、前記被空調空間に供給される空気の流量を入力する供給空気流量入力手段と、前記給気側ＣＯ２濃度計から給気側の空気に含まれる二酸化炭素（ＣＯ２）の濃度を入力する給気側ＣＯ２濃度入力手段と、前記被空調空間の内部から外部に空気を排気するための排気側の流路上に配設した排気側ＣＯ２濃度計と、前記被空調空間から排気される空気の流量を入力する排出空気流量入力手段と、前記排気側ＣＯ２濃度計から排気側の空気に含まれるＣＯ２の濃度を入力する排気側ＣＯ２濃度入力手段と、前記供給空気流量入力手段から受けた給気側の空気の流量と前記給気側ＣＯ２濃度入力手段から受けた給気側のＣＯ２の濃度に基づいて前記被空調空間に供給される空気に含まれるＣＯ２の量を計算する給気側ＣＯ２量計算手段と、前記排出空気流量入力手段から受けた排気側の空気の流量と前記排気側ＣＯ２濃度入力手段から受けた排気側のＣＯ２の濃度に基づいて前記被空調空間から排気される空気に含まれるＣＯ２の量を計算する排気側ＣＯ２量計算手段と、前記給気側ＣＯ２量計算手段から受けた給気側のＣＯ２の量と前記排気側ＣＯ２量計算手段から受けた排気側のＣＯ２の量とに基づいて前記被空調空間で発生したＣＯ２の量を計算する室内ＣＯ２発生量計算手段と、前記室内ＣＯ２発生量計算手段から受けたＣＯ２の量と人が排出するＣＯ２の量とに基づいて前記被空調空間に在室する在室者の在室人数を計算する在室人数計算手段と、を具備していることを特徴とする在室人数算出システムである。
【００１９】
請求項３に係る発明は、前記空調設備は、前記被空調空間に供給する空気の流量を調節する機能を備え、前記供給空気流量入力手段は前記空調設備により調節された空気の流量を入力する機能を備えていることを特徴とする請求項２記載の在室人数算出システムである。
【００２０】
請求項４に係る発明は、前記被空調空間の外部から内部に空気を給気するための給気側の流路上に給気側の空気の流量を計測する給気側空気流量計を配設し、前記供給空気流量入力手段は前記給気側空気流量計が計測した給気側の空気の流量を入力する機能を備えていることを特徴とする請求項２記載の在室人数算出システムである。
【００２１】
請求項５に係る発明は、前記被空調空間の外部から内部に供給される空気の流量を変更可能に設定する給気側空気流量設定手段を備え、前記供給空気流量入力手段は前記給気側空気流量設定手段により設定された空気の流量を入力する機能を備えていることを特徴とする請求項２記載の在室人数算出システムである。
【００２２】
請求項６に係る発明は、前記被空調空間の内部から外部に空気を排気するための排気側の流路上に排気側の空気の流量を調節する流量調節機構を配設し、前記排出空気流量入力手段は前記流量調節機構により調節された空気の流量を入力する機能を備えていることを特徴とする請求項２ないし４のいずれか１項に記載の在室人数算出システムである。
【００２３】
請求項７に係る発明は、前記被空調空間の内部から外部に空気を排気するための排気側の流路上に排気側の空気の流量を計測する排気側空気流量計を配設し、前記排出空気流量入力手段は前記排気側空気流量計が計測した排気側の空気の流量を入力する機能を備えていることを特徴とする請求項２ないし４のいずれか１項に記載の記載の在室人数算出システムである。
【００２４】
請求項８に係る発明は、前記被空調空間の内部から外部に排出される空気の流量を変更可能に設定する排気側空気流量設定手段を備え、前記排気空気流量入力手段は前記排気側空気流量設定手段により設定された空気の流量を入力する機能を備えていることを特徴とする請求項２ないし７のいずれか１項に記載の在室人数算出システムである。
【００２５】
請求項９に係る発明は、前記室内ＣＯ２発生量計算手段が計算したＣＯ２の発生量を受けて、ＣＯ２の発生量人の呼吸以外の要因により発生するＣＯ２の量を減算することにより、前記被空調空間に在室する在室者の呼吸により室内に発生したＣＯ２の量を計算して在室人数計算手段に与える室内ＣＯ２量補正手段を備え、前記在室人数計算手段は前記室内ＣＯ２量補正手段から受けたＣＯ２の量と人が排出するＣＯ２の量に基づいて前記被空調空間に在室する在室者の在室人数を計算する機能を備えていることを特徴とする請求項１ないし６のいずれか１項に記載の在室人数算出システムである。
【００２６】
請求項１０に係る発明は、空調設備を備えた被空調空間に供給される空気の流量を入力するステップと、前記被空調空間に供給される空気に含まれる二酸化炭素（ＣＯ２）の濃度を入力するステップと、前記被空調空間から排気される空気の流量を入力するステップと、前記被空調空間から排気される空気に含まれるＣＯ２の濃度を入力するステップと、給気側の空気の流量と給気側のＣＯ２の濃度に基づいて前記被空調空間に供給される空気に含まれるＣＯ２の量を計算するステップと、排気側の空気の流量と排気側のＣＯ２の濃度に基づいて前記被空調空間から排気される空気に含まれるＣＯ２の量を計算するステップと、給気側のＣＯ２の量と排気側のＣＯ２の量とに基づいて前記被空調空間で発生したＣＯ２の量を計算するステップと、前記被空調空間で発生したＣＯ２の量と人が排出するＣＯ２の量とに基づいて前記被空調空間に在室する在室者の在室人数を計算するステップと、を具備していることを特徴とする在室人数算出方法である。
【００２７】
請求項１１に係る発明は、前記被空調空間で発生したＣＯ２の量から人の呼吸以外の要因により発生するＣＯ２の量を減算することにより、前記被空調空間に在室する在室者の呼吸により室内に発生したＣＯ２の量を計算するステップと、在室者の呼吸により室内に発生したＣＯ２の量と人が排出するＣＯ２の量とに基づいて前記被空調空間に在室する在室者の在室人数を計算するステップとを備えていることを特徴とする請求項８記載の在室人数算出方法である。
【００２８】
【発明の実施の形態】
以下、本発明の実施形態について添付図面を参照して説明する。尚、添付図面中、同一または相当部分には同一符号を付している。
【００２９】
図１は本発明の第１の一実施形態に係る在室人数算出システム１の全体構成を示すシステム構成図、図２は、図１で示す在室人数算出システム１の機能ブロック図である。
【００３０】
図１に示すように在室人数算出システム１は、空調設備２を具備する被空調空間の一例としての部屋３に配設され、部屋３に在室する在室者４の人数を算出することができるものである。
【００３１】
空調設備２は部屋３の外部５と内部６とを連通し外部５の空気Ｘを供給するための給気ダクト７を具備している。そして、空調設備２は部屋３の外部５から給気ダクト７を介して空気Ｘを取り込んで部屋３の内部６に供給する機能を有する。
【００３２】
一方、部屋３には内部６の空気Ｘを外部５に排出するための排気ダクト８が配設されている。
【００３３】
そして、空調設備２は給気ダクト７を介して部屋３の外部５から所要流量の空気Ｘを取り込んで部屋３の内部６に供給する一方、供給された空気Ｘは排気配管と排気ダクト８を介して部屋３の外部５に排出され、部屋３の内部６と外部５との間を空気Ｘが循環するように構成されている。
【００３４】
一方、在室人数算出システム１は、人数演算装置９とこの人数演算装置９に接続された給気側ＣＯ２（二酸化炭素）濃度計１０、排気側ＣＯ２濃度計１１、給気側空気流量計１２および排気側空気流量計１３を備えている。そして、在室人数算出システム１は、給気側ＣＯ２濃度計１０と給気側空気流量計１２とを給気ダクト７に配設し、排気側ＣＯ２濃度計１１と排気側空気流量計１３とを排気ダクト８にそれぞれ配設している。
【００３５】
そして、給気側ＣＯ２濃度計１０は、給気ダクト７を通過する空気Ｘに含まれるＣＯ２の濃度を定常的に計測する機能を有する。但し、濃度の単位は任意単位であり、重量パーセント濃度（％）、モル濃度（ｍｏｌ／ｌ）、重量モル濃度（ｍｏｌ／ｋｇ）、体積パーセント濃度（ｖｏｌ％）あるいは規定度（Ｎ）のいずれであってもよい。
【００３６】
同様に、排気側ＣＯ２濃度計１１は、排気ダクト８を通過する空気Ｘに含まれるＣＯ２の濃度を定常的に計測する機能を有する。
【００３７】
また、給気側空気流量計１２は給気ダクト７を通過する空気Ｘの流量を定常的に計測する機能を有し、排気側空気流量計１３は排気ダクト８を通過する空気Ｘの流量を定常的に計測する機能を有する。
【００３８】
一方、人数演算装置９は、供給空気流量入力手段９ａ、給気側ＣＯ２濃度入力手段９ｂ、排出空気流量入力手段９ｃ、排気側ＣＯ２濃度入力手段９ｄ、給気側ＣＯ２量計算手段９ｅ、排気側ＣＯ２量計算手段９ｆ、室内ＣＯ２発生量計算手段９ｇ、室内ＣＯ２量補正手段９ｈおよび在室人数計算手段９ｉを具備している。
【００３９】
供給空気流量入力手段９ａは、給気側空気流量計１２が計測した時系列の空気Ｘの流量値を給気側空気流量計１２から入力して給気側ＣＯ２量計算手段９ｅに与える機能を有する。
【００４０】
給気側ＣＯ２濃度入力手段９ｂは、給気側ＣＯ２濃度計１０が計測した時系列のＣＯ２の濃度を給気側ＣＯ２濃度計１０から入力して給気側ＣＯ２量計算手段９ｅに与える機能を有する。
【００４１】
排出空気流量入力手段９ｃは、排気側空気流量計１３が計測した時系列の空気Ｘの流量を排気側空気流量計１３から入力して排気側ＣＯ２量計算手段９ｆに与える機能を有する。
【００４２】
排気側ＣＯ２濃度入力手段９ｄは、排気側ＣＯ２量計算手段９ｆが計測したＣＯ２の濃度を排気側ＣＯ２濃度計１１から入力して排気側ＣＯ２量計算手段９ｆに与える機能を有する。
【００４３】
ただし、給気側ＣＯ２濃度計１０から入力するＣＯ２の濃度、排気側空気流量計１３から入力する空気Ｘの流量、給気側空気流量計１２から入力する空気Ｘの流量および排気側空気流量計１３から入力する空気Ｘの流量は一定時間における平均値であってもよい。
【００４４】
給気側ＣＯ２量計算手段９ｅは、供給空気流量入力手段９ａから受けた室内に供給された空気Ｘの流量と、給気側ＣＯ２濃度入力手段９ｂから受けた給気側のＣＯ２濃度に基づいて給気側のＣＯ２の量を計算する機能と、計算した給気側のＣＯ２の量を室内ＣＯ２発生量計算手段９ｇに与える機能とを有する。
【００４５】
すなわち、給気側ＣＯ２量計算手段９ｅは、給気側の空気Ｘの流量とＣＯ２濃度とが時間的に変化する値である場合には、積分あるいは平均値を用いた計算等の所要の方法により給気側のＣＯ２の量を計算する一方、給気側の空気Ｘの流量とＣＯ２濃度とが一定値である場合には、単純に乗じることにより給気側のＣＯ２の量を計算する。
【００４６】
ここで、ＣＯ２の量は任意単位であり、ＣＯ２の量を把握することができれば重量、体積、モル数等の物理量または単位体積当たりの空気Ｘに含まれるＣＯ２の物理量であってもよい。すなわちＣＯ２の量は分量として示すことができる量である示量性量であればよい。
【００４７】
したがって、給気側ＣＯ２量計算手段９ｅは必要に応じて所要の単位換算を実行することができる。
【００４８】
排気側ＣＯ２量計算手段９ｆは、排出空気流量入力手段９ｃから受けた室外に排出された空気Ｘの流量と、排気側ＣＯ２濃度入力手段９ｄから受けた排気側のＣＯ２濃度に基づいて排気側のＣＯ２の量を計算する機能と、計算した排気側のＣＯ２の量を室内ＣＯ２発生量計算手段９ｇに与える機能とを有する。
【００４９】
排気側ＣＯ２量計算手段９ｆは、給気側ＣＯ２量計算手段９ｅと同様な方法により排気側のＣＯ２の量を計算することができる。
【００５０】
室内ＣＯ２発生量計算手段９ｇは、給気側ＣＯ２量計算手段９ｅから受けた給気側のＣＯ２の量と排気側ＣＯ２量計算手段９ｆから受けた排気側のＣＯ２の量との差分をとることにより、室内で発生したＣＯ２の発生量を計算する機能と、計算したＣＯ２の発生量を室内ＣＯ２量補正手段９ｈに与える機能とを有する。
【００５１】
室内ＣＯ２量補正手段９ｈには、予め部屋３の内部６において人の呼吸以外の要因により発生するＣＯ２の量についての情報が保存されている。このＣＯ２の量は一定値、データベース化された複数の値あるいは関数化された変数のいずれであってもよく任意の値を設定可能に構成してもよい。
【００５２】
そして、室内ＣＯ２量補正手段９ｈは、室内ＣＯ２発生量計算手段９ｇから受けたＣＯ２の発生量から人の呼吸以外の要因により発生するＣＯ２の量を減算することにより、在室者４の呼吸により室内に発生したＣＯ２の量を計算する機能と、計算したＣＯ２の量を在室人数計算手段９ｉに与える機能とを有する。
【００５３】
在室人数計算手段９ｉには、予め１人の人の呼吸により所定時間当たりに排出されるＣＯ２の量が保存されている。そして、在室人数計算手段９ｉは、室内ＣＯ２量補正手段９ｈから受けた在室者４の呼吸により室内に発生したＣＯ２の量および１人の人の呼吸により所定時間当たりに排出されるＣＯ２の量の少なくとも一方の単位を必要に応じて換算して統一する機能と、在室者４の呼吸により室内に発生したＣＯ２の量を１人の人から排出されるＣＯ２の量により除算することにより、部屋３の在室人数を計算する機能とを有する。
【００５４】
次に、在室人数算出システム１における在室人数の算出の流れを図３および図４に基づいて説明する。
【００５５】
図３は、図１で示す在室人数算出システム１における在室人数の算出の流れを示すフローチャートであり、図中Ｓに数字を付した符号はフローチャートの各ステップを示す。
【００５６】
また、図４は、図１で示す在室人数算出システム１における在室人数の算出方法の概念を示す説明図である。
【００５７】
まずＳ１では、空調設備２を備えた部屋３に在室する任意人数の在室者４が空調設備２を運転状態にする。空調設備２が運転状態となると空調設備２は、部屋３の外部５から給気ダクト７を介して空気Ｘを取り込んで部屋３の内部６に供給する。部屋３の内部６に空気Ｘが取り込まれて部屋３の内部６の圧力が増加すると、部屋３の空気Ｘの一部は排気ダクト８を介して部屋３の外部５に排出される。
【００５８】
この結果、空調設備２の作用により空気Ｘは部屋３の外部５、給気ダクト７、部屋３の内部６および排気ダクト８を循環する流れを形成する。
【００５９】
そしてＳ２では、給気側空気流量計１２が給気ダクト７を通過する空気Ｘの流量を定常的に計測し、計測した給気側の時系列の空気Ｘの流量値を供給空気流量入力手段９ａに与える。
【００６０】
同様に、排気側空気流量計１３は排気ダクト８を通過する空気Ｘの流量を定常的に計測し、計測した排気側の時系列の空気Ｘの流量値を排出空気流量入力手段９ｃに与える。
【００６１】
さらに、給気側ＣＯ２濃度計１０は、給気ダクト７を通過する空気Ｘに含まれるＣＯ２の濃度を定常的に計測し、計測した給気側の時系列のＣＯ２の濃度を給気側ＣＯ２濃度計１０に与える。
【００６２】
同様に、排気側ＣＯ２濃度計１１は、排気ダクト８を通過する空気Ｘに含まれるＣＯ２の濃度を定常的に計測し、計測した排気側の時系列のＣＯ２の濃度を排気側ＣＯ２濃度入力手段９ｄに与える。
【００６３】
またＳ３では、人数演算装置９が給気側と排気側の空気Ｘの流量およびＣＯ２の濃度を給気側空気流量計１２、排気側空気流量計１３、給気側ＣＯ２濃度計１０および排気側ＣＯ２濃度計１１からそれぞれ入力する。
【００６４】
すなわち、供給空気流量入力手段９ａが、給気側空気流量計１２から受けた給気側の時系列の空気Ｘの流量値を給気側ＣＯ２量計算手段９ｅに与える一方、給気側ＣＯ２濃度入力手段９ｂが、給気側ＣＯ２濃度計１０から受けた給気側の時系列のＣＯ２の濃度を給気側ＣＯ２量計算手段９ｅに与える。
【００６５】
同様に、排出空気流量入力手段９ｃが、排気側空気流量計１３から受けた排気側の時系列の空気Ｘの流量値を排気側ＣＯ２量計算手段９ｆに与える一方、排気側ＣＯ２濃度入力手段９ｄが、排気側ＣＯ２濃度計１１から受けた排気側の時系列のＣＯ２の濃度を排気側ＣＯ２量計算手段９ｆに与える。
【００６６】
そしてＳ４では、給気側ＣＯ２量計算手段９ｅが、供給空気流量入力手段９ａから受けた給気側の空気Ｘの流量と、給気側ＣＯ２濃度入力手段９ｂから受けた給気側のＣＯ２濃度に基づいて給気側のＣＯ２の量を計算し、計算した給気側のＣＯ２の量を室内ＣＯ２発生量計算手段９ｇに与える。
【００６７】
すなわち、給気側ＣＯ２量計算手段９ｅは、供給空気流量入力手段９ａから受けた給気側の空気Ｘの流量と、給気側ＣＯ２濃度入力手段９ｂから受けた給気側のＣＯ２濃度とを用いて所要の単位換算を実行した後、例えば積分により一定時間における給気側のＣＯ２の量を計算する。
【００６８】
一方、同様な手段により排気側ＣＯ２量計算手段９ｆが、排出空気流量入力手段９ｃから受けた排気側の空気Ｘの流量と、排気側ＣＯ２濃度入力手段９ｄから受けた排気側のＣＯ２濃度に基づいて排気側のＣＯ２の量を計算し、計算した排気側のＣＯ２の量を室内ＣＯ２発生量計算手段９ｇに与える。
【００６９】
次にＳ５では、室内ＣＯ２発生量計算手段９ｇが、給気側ＣＯ２量計算手段９ｅから受けた給気側のＣＯ２の量と排気側ＣＯ２量計算手段９ｆから受けた排気側のＣＯ２の量との差分をとることにより、室内で発生したＣＯ２の発生量を計算し、計算したＣＯ２の発生量を室内ＣＯ２量補正手段９ｈに与える。
【００７０】
そしてＳ６では、室内ＣＯ２量補正手段９ｈが室内ＣＯ２発生量計算手段９ｇから受けたＣＯ２の発生量から予め保存された人の呼吸以外の要因により発生するＣＯ２の量を減算することにより、在室者４の呼吸により室内に発生したＣＯ２の量を計算し、計算したＣＯ２の量を在室人数計算手段９ｉに与える。
【００７１】
さらにＳ７では、在室人数計算手段９ｉが室内ＣＯ２量補正手段９ｈから受けた在室者４の呼吸により室内に発生したＣＯ２の量および１人の人の呼吸により所定時間当たりに排出されるＣＯ２の量について所要の単位換算を実行した後、在室者４の呼吸により室内に発生したＣＯ２の量を１人の人から排出されるＣＯ２の量により除算することにより、部屋３の在室人数を計算する。
【００７２】
この結果、在室人数算出システム１により得られた部屋３の在室人数は、空調設備２等の設備において運転制御情報等の所要の情報として利用することができる。
【００７３】
すなわち、在室人数算出システム１は、空調設備２を備えた部屋３の内外を連通するダクトに給気側空気流量計１２、排気側空気流量計１３、給気側ＣＯ２濃度計１０および排気側ＣＯ２濃度計１１を設けることにより、部屋３に供給される空気Ｘに含まれるＣＯ２と部屋３から排気されるＣＯ２の量を求め、これらＣＯ２の量の差から部屋３の内部６において人以外から排出されたＣＯ２の量を減算し、さらに１人の人が排出するの量で除算することにより部屋３の在室人数を算出するシステムである。
【００７４】
在室人数算出システム１においては、部屋３と空調設備２ないし部屋３の外部５とを接続する給気ダクト７および排気ダクト８にのみセンサである給気側空気流量計１２、排気側空気流量計１３、給気側ＣＯ２濃度計１０および排気側ＣＯ２濃度計１１を設ける構成であるため部屋３の入口の数が複数箇所ある場合や構造が複雑な場合であっても、より容易に部屋３の在室人数を算出できる。
【００７５】
また、空調設備２が他の機能を備えるために必要性の高い給気側空気流量計１２、排気側空気流量計１３、給気側ＣＯ２濃度計１０および排気側ＣＯ２濃度計１１を使用するため、別途赤外線センサ等の装置を設ける必要がなく、より簡易な構成で部屋３の在室人数を算出することができる。
【００７６】
そして、在室人数算出システム１において得られた部屋３の在室人数を空調設備２の熱源あるいは風量等の運転条件の入力パラメータとして使用すれば、空調設備２のより適切な運転を可能とすることができる。
【００７７】
尚、給気側空気流量計１２および排気側空気流量計１３の代わりに空気Ｘの物性値に基づいて空気Ｘの流量に換算可能な物理量を計測する物理量計測装置を配設して空気Ｘの物理量を計測し、計測した空気Ｘの物理量を空気Ｘの流量に換算するように構成してもよい。
【００７８】
また、給気側ＣＯ２濃度計あるいは給気側空気流量計１２は、給気された空気Ｘの流量を計測することができれば、給気ダクト７以外の給気側の空気Ｘの流路上の任意数箇所に配設してもよい。同様に排気側ＣＯ２濃度計１１あるいは排気側空気流量計１３も排気ダクト８に限らず、排気ダクト８以外の排気側の空気Ｘの流路上の任意数箇所に配設することができる。
【００７９】
さらに、給気側ＣＯ２濃度計および給気側空気流量計１２並びに排気側ＣＯ２濃度計１１および排気側空気流量計１３を一体に構成して機能を兼ねてもよい。
【００８０】
図５は本発明の第２の一実施形態に係る在室人数算出システム１Ａの全体構成を示すシステム構成図、図６は、図５で示す在室人数算出システム１Ａの機能ブロック図である。
【００８１】
図５に示された、在室人数算出システム１Ａにおいては、部屋３に複数の排気ダクト８ａ，８ｂが備えられている点と給気側空気流量計１２および排気側空気流量計１３が配設されていない点が図１で示す在室人数算出システム１と相違している。他の構成および作用については図１に示す在室人数算出システム１と実質的に異ならないため同一の構成については同符号を付して説明を省略する。
【００８２】
図５に示すように在室人数算出システム１Ａは、給気ダクト７を介して接続された空調設備２と複数の、例えば２つの排気ダクト８ａ，８ｂとを備えた部屋３に配設される。
【００８３】
２つの排気ダクト８ａ，８ｂは、ともに部屋３の外部５に導かれるが、一方の排気ダクト８ａは分岐して給気ダクト７と接続される。このため、給気ダクト７と接続された排気ダクト８ａを流れる空気Ｘの一部は、給気ダクト７を介して再び空調設備２に導かれる。
【００８４】
また、空調設備２は、部屋３の内部６に一定の流量の空気Ｘを供給する機能を有する。
【００８５】
一方、在室人数算出システム１Ａは、人数演算装置２０とこの人数演算装置２０に接続された給気側ＣＯ２濃度計１０と２つの排気側ＣＯ２濃度計１１ａ，１１ｂを備えている。在室人数算出システム１Ａは、給気側ＣＯ２濃度計１０を給気ダクト７に配設する一方、２つの排気側ＣＯ２濃度計１１ａ，１１ｂを各排気ダクト８ａ，８ｂにそれぞれ配設している。
【００８６】
人数演算装置２０は、給気側空気流量設定手段２０ａ，供給空気流量入力手段２０ｂ、給気側ＣＯ２濃度入力手段２０ｃ、排気側空気流量設定手段２０ｄ、排出空気流量入力手段２０ｅ、排気側ＣＯ２濃度入力手段２０ｆ、給気側ＣＯ２量計算手段２０ｇ、排気側ＣＯ２量計算手段２０ｈ、室内ＣＯ２発生量計算手段２０ｉ、室内ＣＯ２量補正手段２０ｊおよび在室人数計算手段２０ｋを具備している。
【００８７】
給気側空気流量設定手段２０ａは、部屋３に供給される空気Ｘの流量をパラメータとして変更可能に設定する機能と、設定した空気Ｘの流量値を供給空気流量入力手段２０ｂに与える機能とを有する。
【００８８】
同様に、排気側空気流量設定手段２０ｄは部屋３から排出される空気Ｘの流量をパラメータとして変更可能に設定する機能と、設定した空気Ｘの流量値を排出空気流量入力手段２０ｅに与える機能とを有する。
【００８９】
供給空気流量入力手段２０ｂは、給気側空気流量設定手段２０ａから受けた空気Ｘの流量値を給気側ＣＯ２量計算手段２０ｂに与える機能を有する一方、排出空気流量入力手段２０ｅは、排気側空気流量設定手段２０ｄから受けた空気Ｘの流量値を給気側ＣＯ２量計算手段２０ｇに与える機能を有する。
【００９０】
また、給気側ＣＯ２濃度入力手段２０ｃ、排気側ＣＯ２濃度入力手段２０ｆ、給気側ＣＯ２量計算手段２０ｇ、排気側ＣＯ２量計算手段２０ｈ、室内ＣＯ２発生量計算手段２０ｉ、室内ＣＯ２量補正手段２０ｊおよび在室人数計算手段２０ｋは、図２で示す在室人数算出システム１と同様の機能を有する。
【００９１】
次に、在室人数算出システム１Ａにおける在室人数の算出の流れを図７および図８に基づいて説明する。
【００９２】
図７は、図５で示す在室人数算出システム１Ａにおける在室人数の算出の流れを示すフローチャートであり、図中Ｓに数字を付した符号はフローチャートの各ステップを示す。
【００９３】
また、図８は、図５で示す在室人数算出システム１Ａにおける在室人数の算出方法の概念を示す説明図である。
【００９４】
まずＳ１０では、部屋３に供給される空気Ｘの流量をパラメータとして給気側空気流量設定手段２０ａにより設定する一方、部屋３から排出される空気Ｘの流量をパラメータとして排気側空気流量設定手段２０ｄにより設定する。
【００９５】
給気側空気流量設定手段２０ａおよび排気側空気流量設定手段２０ｄにより設定する空気Ｘの流量は、例えば別途流量計により計測して得ることができる。部屋３に供給される空気Ｘの流量は、空調設備２により部屋３の内部６に供給される一定の空気Ｘの流量としてもよい。
【００９６】
次にＳ１１では、空調設備２を備えた部屋３に在室する任意人数の在室者４が空調設備２を運転状態にして、部屋３の外部５、給気ダクト７、部屋３の内部６および排気ダクト８ａ，８ｂを循環する空気Ｘの流れを形成する。
【００９７】
そしてＳ１２では、給気側ＣＯ２濃度計１０が、給気ダクト７を通過する空気Ｘに含まれるＣＯ２の濃度を定常的に計測し、計測した給気側の時系列のＣＯ２の濃度を給気側ＣＯ２濃度計１０に与える一方、排気側ＣＯ２濃度計１１ａ，１１ｂは、各排気ダクト８ａ，８ｂを通過する空気Ｘに含まれるＣＯ２の濃度を定常的にそれぞれ計測し、計測した各排気側の時系列のＣＯ２の濃度を排気側ＣＯ２濃度入力手段２０ｆに与える。
【００９８】
またＳ１３では、人数演算装置２０が給気側と排気側のＣＯ２の濃度を給気側ＣＯ２濃度計１０および排気側ＣＯ２濃度計１１ａ，１１ｂからそれぞれ入力する。
【００９９】
すなわち、給気側ＣＯ２濃度入力手段２０ｃが、給気側ＣＯ２濃度計１０から受けた給気側の時系列のＣＯ２の濃度を給気側ＣＯ２量計算手段２０ｇに与える一方、排気側ＣＯ２濃度入力手段２０ｆが、排気側ＣＯ２濃度計１１ａ，１１ｂから受けた排気側の時系列のＣＯ２の濃度を排気側ＣＯ２量計算手段２０ｈに与える。
【０１００】
そしてＳ１４では、供給空気流量入力手段２０ｂが、給気側空気流量設定手段２０ａから受けた給気側の空気Ｘの流量値を給気側ＣＯ２量計算手段２０ｇに与える一方、排出空気流量入力手段２０ｅが、排気側空気流量設定手段２０ｄから受けた排気側の空気Ｘの流量値を排気側ＣＯ２量計算手段２０ｈに与える。
【０１０１】
さらに、給気側ＣＯ２量計算手段２０ｇが、供給空気流量入力手段２０ｂから受けた給気側の空気Ｘの流量と、給気側ＣＯ２濃度入力手段２０ｃから受けた給気側のＣＯ２濃度に基づいて給気側のＣＯ２の量を計算し、計算した給気側のＣＯ２の量を室内ＣＯ２発生量計算手段２０ｉに与える。
【０１０２】
一方、排気側ＣＯ２量計算手段２０ｈが、排出空気流量入力手段２０ｅから受けた排気側の空気Ｘの流量と、排気側ＣＯ２濃度入力手段２０ｆから受けた排気側のＣＯ２濃度に基づいて排気側のＣＯ２の量を計算し、計算した排気側のＣＯ２の量を室内ＣＯ２発生量計算手段２０ｉに与える。
【０１０３】
次にＳ１５では、室内ＣＯ２発生量計算手段２０ｉが、給気側ＣＯ２量計算手段２０ｇから受けた給気側のＣＯ２の量と排気側ＣＯ２量計算手段２０ｈから受けた排気側のＣＯ２の量とから、室内で発生したＣＯ２の発生量を計算し、計算したＣＯ２の発生量を室内ＣＯ２量補正手段２０ｊに与える。
【０１０４】
そしてＳ１６では、室内ＣＯ２量補正手段２０ｊが室内ＣＯ２発生量計算手段２０ｉから受けたＣＯ２の発生量から、在室者４の呼吸により室内に発生したＣＯ２の量を計算し、計算したＣＯ２の量を在室人数計算手段２０ｋに与える。
【０１０５】
さらにＳ１７では、在室人数計算手段２０ｋが室内ＣＯ２量補正手段２０ｊから受けた在室者４の呼吸により室内に発生したＣＯ２の量に基づいて、部屋３の在室人数を計算する。
【０１０６】
すなわち、在室人数算出システム１Ａは、図１で示す在室人数算出システム１において、空調設備２を備えた部屋３の内外を連通するダクトに給気側空気流量計１２および排気側空気流量計１３を配設する代わりに、人数演算装置２０に給気側空気流量設定手段２０ａと排気側空気流量設定手段２０ｄとを設け、これら給気側空気流量設定手段２０ａと排気側空気流量設定手段２０ｄとにより部屋３に供給される空気Ｘの流量と部屋３から排出される空気Ｘの流量とをそれぞれパラメータとして変更可能に設定する構成である。
【０１０７】
在室人数算出システム１Ａにおいては、在室人数算出システム１の効果に加え、さらに部屋３と空調設備２ないし部屋３の外部５とを接続する給気ダクト７および排気ダクト８ａ，８ｂに給気側空気流量計１２および排気側空気流量計１３を設ける必要がないため、より簡易かつ安価な構成とすることができる。
【０１０８】
尚、在室人数算出システム１Ａにおいて、室外から室内に供給する空気Ｘの流量を変更可能に調節する機能を空調設備２設け、空調設備２の流量調節値を給気側空気流量設定手段２０ａにおいて設定する給気側の空気Ｘの流量値としてもよい。
【０１０９】
同様に、在室人数算出システム１Ａにおいて、排気する空気Ｘの流量を変更可能に調節することが可能な流量調節機構を排気ダクト８ａ，８ｂに配設し、流量調節機構の流量調節値を排気側空気流量設定手段２０ｄにおいて設定する空気Ｘの流量値としてもよい。
【０１１０】
一方、在室人数算出システム１Ａにおいて、給気側空気流量設定手段２０ａにより設定する給気側の空気Ｘの流量値および排気側空気流量設定手段２０ｄにより設定する空気Ｘの流量値の一方あるいは双方を、部屋３の在室人数を実験的に計算し、正しい計算値が得られるように補正することにより調整して求めても良い。
【０１１１】
また、各実施形態の在室人数算出システム１、１Ａを複合的に構成しても良い。すなわち、給気ダクト７および排気ダクト８、８ａ，８ｂに少なくとも給気側ＣＯ２濃度計１０および排気側ＣＯ２濃度計１１，１１ａ，１１ｂを配設して給気側および排気側のＣＯ２の濃度がそれぞれ計測されれば、給気側および排気側の空気Ｘの流量は、給気側空気流量計１２または排気側空気流量計１３により計測する方法あるいは給気側空気流量設定手段２０ａまたは排気側空気流量設定手段２０ｄによりパラメータとして設定する方法を組合せて構成しても良い。
【０１１２】
また、在室人数算出システム１、１Ａにおいて、人数演算装置９、２０は、部屋３の在室人数を必要な精度により計算ができれば必ずしも室内ＣＯ２量補正手段９ｈ、２０ｊを備えて補正する必要はない。
【０１１３】
また、在室人数算出システム１、１Ａの算出対象は、部屋３の内部６に在室する人の数としたが、人に限らず動物やその他の二酸化炭素を排出する特定の生物を対象としてもよく、さらにこれらの生物と人の双方を対象としてもよい。
【０１１４】
また、在室人数を算出する被空調空間は部屋３に限らず、空調設備２を備え空気Ｘの循環が形成されていれば工場内の所定のエリア、オフィスあるいは車両等の移動体内部であってもよい。
【０１１５】
さらに、在室人数を算出する場所を水槽内等の流体内領域として水等の流体中に含まれるＣＯ２量の変化に基づいて、魚類、両生類、軟体動物等の生物を対象とすることもできる。
【０１１６】
【発明の効果】
以上説明したように、本発明に係る在室人数算出システムとその方法によれば、空調設備を備えた部屋等の被空調空間に在室する人の在室人数をより簡易な構成で容易に計測することができる。
【図面の簡単な説明】
【図１】本発明の一実施形態に係る在室人数算出システムの全体構成を示すシステム構成図。
【図２】図１で示す在室人数算出システムの機能ブロック図。
【図３】在室人数算出システムにおける在室人数の算出の流れを示すフローチャート。
【図４】在室人数算出システムにおける在室人数の算出方法の概念を示す説明図。
【図５】本発明の第２の一実施形態に係る在室人数算出システムの全体構成を示すシステム構成図。
【図６】図５で示す在室人数算出システムの機能ブロック図。
【図７】図５で示す在室人数算出システムにおける在室人数の算出の流れを示すフローチャート。
【図８】図５で示す在室人数算出システムにおける在室人数の算出方法の概念を示す説明図。
【符号の説明】
１  在室人数算出システム
２  空調設備
３  部屋
４  在室者
５  外部
６  内部
７  給気ダクト
８，８ａ，８ｂ  排気ダクト
９  人数演算装置
９ａ  供給空気流量入力手段
９ｂ  給気側ＣＯ２濃度入力手段
９ｃ  排出空気流量入力手段
９ｄ  排気側ＣＯ２濃度入力手段
９ｅ  給気側ＣＯ２量計算手段
９ｆ  排気側ＣＯ２量計算手段
９ｇ  室内ＣＯ２発生量計算手段
９ｈ  室内ＣＯ２量補正手段
９ｉ  在室人数計算手段
１０  給気側ＣＯ２濃度計
１１，１１ａ，１１ｂ  排気側ＣＯ２濃度計
１２  給気側空気流量計
１３  排気側空気流量計
２０  人数演算装置
２０ａ  給気側空気流量設定手段
２０ｂ  供給空気流量入力手段
２０ｃ  給気側ＣＯ２濃度入力手段
２０ｄ  排気側空気流量設定手段
２０ｅ  排出空気流量入力手段
２０ｆ  排気側ＣＯ２濃度入力手段
２０ｇ  給気側ＣＯ２量計算手段
２０ｈ  排気側ＣＯ２量計算手段
２０ｉ  室内ＣＯ２発生量計算手段
２０ｊ  室内ＣＯ２量補正手段
２０ｋ  在室人数計算手段
Ｘ  空気
【図１】
2004278868.tif 000003
【図２】
2004278868.tif 000004
【図３】
2004278868.tif 000005
【図４】
2004278868.tif 000006
【図５】
2004278868.tif 000007
【図６】
2004278868.tif 000008
【図７】
2004278868.tif 000009
【図８】
2004278868.tif 000010